(57)【要約】【課題】  指輪をサイズ直しする作業を、易しく安全円滑に行えるように研究開発された、サイズ直し器具及び補助金具を提供する。【解決手段】  指輪に装飾された宝飾品（ダイヤモンド、ルビー、エメラルドなど）をロー付け作業中、指輪の腕を挟み保持し円筒容器内部に据えて、容器内に冷却水を満たし装飾部分のみを水没させて、ロー付け作業中に高熱が装飾物に伝播するのを防ぎ、作業を迅速且つ安全に行うことが出来る。【選択図】図５
2008220887.tif 000002
【特許請求の範囲】
【請求項１】
上部円筒容器の外側面底中芯にＬ字型部品を直角に固定し、下部基盤円形部品の上部中芯にＬ字型部品を固定した両Ｌ字型部品には、其々所定の場所に孔が空けてあり、孔を平行に重ねて蝶ボルトを通し、ナットで締め止めする機能を有し、ボルトナットは、上部円筒容器を水平に保つように繋ぎ用途に応じて角度を変えて、斜面に置いても容器を水平に保ち固定出来ることを特徴とした、サイズ直し器具及び補助金具。
【請求項２】
サイズ直し作業をする際に、請求項１に記載された円筒容器の内部に冷却水を満し、容器内に作業対象品を挟み入れ置き、作業を円滑に進める手段として、容易に操作が出来る事を特徴とした、サイズ直し器具及び補助金具。
【発明の詳細な説明】
【技術分野】
【０００１】  本発明は、指輪のサイズ直し、ブローチ、ペンダント等のロー付け修理作業工程途中の火気使用を安全且つ円滑に進める手段としての、作業操作に関するものである。
【背景技術】
【０００２】  指輪をサイズ直しするには、適所を用途に応じて切断、削除或は加増してロー付け作業により切断した部分を接続固定する。
しかし、鑞を溶解する為の高温は指輪全体に素早く伝播する、其のままで全体を加熱させてしまうと、地金部分は冷却後もなんら問題は無いが、装飾されている鉱物（ダイヤモンド、ルビー等宝石類）に高熱が伝播すると劣化又は破損する。
プラチナ、金、特に銀製品類は熱の伝播が早く、作業に困難をきたしている。
【発明の開示】
【発明が解決しようとする課題】
【０００３】  一般に工法としては、水を含ませた石綿亦は脱脂綿などで装飾鉱物部分を包んだ指輪を片手で持ち、片手にバーナーを持ってロー付け作業を行い、高熱が伝播する前に作業を終える手法が広く行われているが、このように熟練を要するような工法は失敗する場合がある。【０００４】  本発明は、上記のような従来の工法が抱えていた課題を解決しようとするものであり、作業工程中に装飾されている鉱物（ダイヤモンド、ルビー等宝石類）を劣化又は破損を防ぐことを目的とするものである。
【課題を解決するための手段】
【０００５】  上記課題を解決するため、特許請求の範囲に記載された本発明に係るサイズ直し器具及び補助金具は、円筒容器内に冷却水を満たし、補助金具に指輪を挟み円筒容器内にロー付け箇所以外が水没する状態になるように中央に据えて、ロー付け作業中に高温が装飾物へ伝播するのを防ぎ、作業を安全且つ円滑に進める手段として常に水平を保つことが出来ることを特徴とするものである。【０００６】  また、請求項の範囲に記載された本発明に係る補助金具本体は、長方形の鋼板を曲げて（図８）その両端を丸めて筒を形成し、３等分した中央をカットし、丸棒を図面に合わせて曲げた２固体（図９）を組み込み１固体（図１０）に形成し、指輪の腕を挟み円筒容器内部に据えて指輪を保持し、円筒容器に冷却水を満たし装飾部分を水没させて、ロー付け作業中に高温が装飾物に伝播するのを防ぎ、作業を迅速且つ安全に行うことが出来ることを特徴とするものである。
【発明の効果】
【０００７】  以上の説明から明らかなように、本発明に係るサイズ直し器具及び補助金具は、ロー付け作業中に伝播する高熱を円筒容器内に満たされた冷却水で遮断して装飾物を保護することを目的とするものである。
また、円筒容器と下部基盤を繋ぐＬ字型部品の孔に蝶ネジを通し締め止めして、作業机上に斜めに設置されている摺り板上などでも、円筒容器を水平に調整し固定できる。
さらに、丸棒を治具に合わせて曲げるだけで簡単に製作できる補助金具（図１３）は、指輪を挟み（図１５）水溶器上部に据えて作業をする。その都度、指輪の幅に併せて開閉部を微調整することにより、使用範囲を拡大することが可能である。
【発明を実施するための最良の形態】
【０００８】以下、添付図面を参照しつつ、本発明の実施の形態を、詳細に説明する。
【実施例】
【０００９】  図１は、請求項１の範囲に記載された本発明に係るサイズ直し器具円筒容器側断面図である。上部円筒容器の外側底面中央にはＬ字型部品２が固定されている。【００１０】  更に、円筒容器の上部外側には、Ｕ字型部品３が固定されている、Ｕ字型部品３は請求項２の範囲に記載された本発明に係る補助金具を容器中央に保持するための部品である。
図２は、請求項１の範囲に記載された本発明に係るサイズ直し器具下部基盤円形部品側断面図である。
下部基盤円形部品には、Ｌ字型部品４が中央に固定されている。Ｌ字型部品４の上端は、中心点から左右に角度１０程度の傾斜が着いている。【００１１】  Ｌ字型部品には、其々所定の場所に孔（符号７）が空けてあり、（図５参照）のように重ねて蝶ネジを通し、ナットで締め止めする。蝶ボルトは、緩急自在に上部円筒容器を水平に保つように操作して、調整し終えた時点で固定することを目的とする。
さらに、下部基盤は（受け皿６）内に収容されている。（受け皿６）は、上部円筒容器から溢れた冷却水が飛散するのを防ぐ重要部品である。【００１２】  貴金属装身具製作作業は、摺り板を作業机に取り外し可能な状態に角度１０程度の傾斜を着け据付して、ロー付けや鑢賭けなどの作業を行う。依ってＬ字型部品４の上部端に附された１０度程度の傾斜は、上部円筒容器を水平に導く作業中に、必要以上に傾けて冷却水を溢してしまうのを未然に防止する事ができる、本発明における最も重要な焦点である。【００１３】  符号３は上部半分が２分されている、２分された隙間に請求項２に記載された本発明に係るサイズ直し補助金具の一端を挟み、一定位置に決め置くことを目的とする。
其のことにより、両手での作業進行が可能となり、迅速且つ安全に終了することが出来る。また、本発明に係るサイズ直し器具は、作業中常に水平を保持しているので、サイズ直し作業を安全に遂行するための手段を備えている。【００１４】  かかる発明によれば、特許請求の範囲に記載された本発明に係るサイズ直し器具及び補助金具は、水を使用する作業なのでステンレス材が最適と思われる。が、他にも銅、真鍮、白銅、アルミニュウム等一般に生産販売されている金属で製作すること可能である。
また、本発明は専用治具を製作せずとも市販されている部品やパーツを選び組み立てる事で製作することが可能であり、コストを削減することが出来る。
例えば、日用品のプリン製作用容器その他各種既製品を使用することも出来る。但し、其のことにより製作及び操作方法や使用例が変わることは無い。【００１５】  図３は、特許請求の範囲に記載された本発明に係るサイズ直し器具に係る受け皿である。作業途中溢れた冷却水を受け止める容器である。【００１６】  特許請求の範囲に記載された本発明に係るサイズ直し器具及び補助金具は、サイズ直し作業以外にもブローチ、ペンダント等のロー付け修理作業にも応用できる。但し、デザインや形態により補助金具を必要としない場合もあるが、其のことにより操作方法や使用例が変わることは無い。（図示せず）
図４は、蝶ボルトである。特許請求の範囲に記載された本発明に係るサイズ直し器具に併せて製作されたものである。
図５は、上下部品を専用蝶ボルトで接続固定した立断面図である。
特許請求の範囲に記載された本発明に係るサイズ直し器具は、上部水容器と下部基盤及び受け皿とで形成されている。
図１０は、（図７）１１と（図９）１２を組み込み、完成した板バネ補助金具側面図である。
図１１は、板バネ補助金具へ指輪（符号１４）着装想定側面図である。
図１２は、板バネ補助金具斜視図である。
図１３は、丸線補助金具（符号１３）である。
図１５は、丸線補助金具へ指輪（符号１４）着装想定斜視図である。
【産業上の利用可能性】
【００１７】  本発明は、指輪のサイズ直し作業を行う場合のロー付け作業と操作方法に関するものであり、ブローチ、ペンダントなど宝飾品を修理する場合にもロー付け作業を安全且つ円滑に進めることが出来る、サイズ直し器具及び補助金具を提供することを目的とする。【００１８】  斜面に置いても筒型容器を水平に保ち、補助金具で保持した指輪を筒型容器内に据えて冷却水を満たし、作業箇所から伝播するロー付け作業中の高熱を、装飾部分を水没させる事により高熱を遮断し、作業を安全且つ円滑に終了する事が出来る。
但し、冷却水は作業中蒸発し減少する。此れは他の全ての機種に於いても同様である。給水用具を身近に置いて注水し、常に満水状態でロー付け作業を進行する事が前提である。尚、給水用器は特定しない。【００１９】  他に、存在するサイズ直し機器については、電流を用いて高熱を蓄えて蝋を溶解する機械又は、レザー光線を用いた機械も市販されているが、貴金属製作作業者は、個人事業主が多く、高額ハイテク機器に投資しても常時稼動させる程の需要が無いのが実情で効率が悪く、設置場所などの問題も多く存在している。【００２０】  本発明は、指輪のサイズ直し作業を行う器具であり、容量も小さく収納も易く、個々に占有購入することも可能な価格であり、現存する器具に類似品は無く、拠って産業上の利用可能性は、近未来諸外国にも拡大すると確信するものである。
【図面の簡単な説明】
【００２１】
【図１】上部円筒水溶器と、上部Ｌ字型部品とＵ字型部品である。
【図２】下部円形基盤と下部Ｌ字型部品である。
【図３】受け皿である。
【図４】専用蝶ボルトである。
【図５】上下部品を専用蝶ボルトで接続固定した立断面図である。
【図６】サイズ直し容器平面図である。
【図７】板バネ補助金具平面図と側面図である。
【図８】板バネ補助金具形成側面具である。
【図９】丸棒補助金具である。
【図１０】着装側面図である。
【図１１】補助金具に対する指輪着装想定図である。
【図１２】補助金具斜視図である。
【図１３】丸線補助金具である。
【図１４】補助金具に対する指輪着装想定図である。
【図１５】丸線補助金具斜視図である。
【符号の説明】
【００２２】１  円筒水溶器
２  上部Ｌ字型部品
３  Ｕ字型部品
４  下部Ｌ字型部品
５  孔
６  基礎円形部品
７  受け皿
８  傾斜
９  蝶ボルト
１０ナット
１１板バネ
１２丸棒
１３丸線
１４想定指輪
【図１】
2008220887.tif 000003
【図２】
2008220887.tif 000004
【図３】
2008220887.tif 000005
【図４】
2008220887.tif 000006
【図５】
2008220887.tif 000007
【図６】
2008220887.tif 000008
【図７】
2008220887.tif 000009
【図８】
2008220887.tif 000010
【図９】
2008220887.tif 000011
【図１０】
2008220887.tif 000012
【図１１】
2008220887.tif 000013
【図１２】
2008220887.tif 000014
【図１３】
2008220887.tif 000015
【図１４】
2008220887.tif 000016
【図１５】
2008220887.tif 000017